【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
タッチスクリーンディスプレイの表示を制御する表示制御部を備え、
前記表示制御部は、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行し、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持し、
前記表示制御部に前記第１のスクロール制御を実行させるための第１のユーザ操作と、前記表示制御部に前記第２のスクロール制御を実行させるための第２のユーザ操作とは、前記タッチスクリーンディスプレイ上の前記表示領域に対する互いに異なるタッチ操作である
表示制御装置。
【請求項２】
前記表示制御部は、前記第２のスクロール制御において前記表示領域を一時的にスクロール移動させる、請求項１に記載の表示制御装置。
【請求項３】
前記第１のユーザ操作は、前記第２のユーザ操作に比較して簡潔な操作である、請求項１または２に記載の表示制御装置。
【請求項４】
前記表示制御部は、前記第２のスクロール制御における前記スクロール移動の移動量を自動的に決定する、請求項１〜３のいずれか１項に記載の表示制御装置。
【請求項５】
前記スクロール移動の移動量は、前記操作可能に維持される操作子の表示サイズに応じて決定される、請求項４に記載の表示制御装置。
【請求項６】
前記スペーサは、前記自動的に決定された移動量と現在の移動量との関係を表現する画像である、請求項４または５に記載の表示制御装置。
【請求項７】
前記表示制御部は、前記第２のスクロール制御における前記スクロール移動の間、前記ドキュメント内に配置された操作子を操作可能に維持する、請求項１〜６のいずれか１項に記載の表示制御装置。
【請求項８】
前記表示領域は、前記ドキュメントと、前記ドキュメントに関する操作を受け付ける操作子が配置された操作子配置領域とを含み、
前記表示制御部は、前記第２のスクロール制御における前記スクロール移動の間、前記操作子配置領域に配置された操作子を操作可能に維持する、請求項１に記載の表示制御装置。
【請求項９】
前記表示制御部は、前記第２のスクロール制御における前記スクロール移動の間、前記ドキュメント内に配置された操作子の操作を無効化する、請求項８に記載の表示制御装置。
【請求項１０】
前記表示領域は、前記ドキュメントと、前記タッチスクリーンディスプレイを有する装置のステータスを表示するステータス表示領域とを含み、
前記表示制御部は、前記第２のスクロール制御における前記スクロール移動の間、前記ステータス表示領域を操作可能に維持する、請求項１に記載の表示制御装置。
【請求項１１】
前記表示制御部は、前記第２のスクロール制御において、前記ステータス表示領域への操作によって表示されるステータス画面の表示が終了したときに前記スクロール移動を元に戻す、請求項１０に記載の表示制御装置。
【請求項１２】
前記表示制御部は、前記第２のスクロール制御において、前記操作可能に維持される操作子への操作によって前記ドキュメントの表示が変化したときに前記スクロール移動を元に戻す、請求項１〜１１のいずれか１項に記載の表示制御装置。
【請求項１３】
前記表示制御部は、前記第２のスクロール制御において、前記操作可能に維持される操作子への操作が実行されたときに前記スクロール移動を元に戻す、請求項１〜１１のいずれか１項に記載の表示制御装置。
【請求項１４】
前記タッチスクリーンディスプレイにおいて、前記第２のスクロール制御がない場合の前記表示領域の位置は固定されている、請求項１〜１３のいずれか１項に記載の表示制御装置。
【請求項１５】
前記第２のスクロール制御における前記スクロール移動の移動方向は、前記第２のユーザ操作が実行された前記タッチスクリーンディスプレイ上または前記タッチスクリーンディスプレイの周囲の筐体上の位置に応じて決定される、請求項１〜１４のいずれか１項に記載の表示制御装置。
【請求項１６】
前記タッチスクリーンディスプレイを構成する表示部および操作部、記憶部、ならびに通信部をさらに備え、
前記表示制御部は、前記表示部における表示を制御する、請求項１〜１５のいずれか１項に記載の表示制御装置。
【請求項１７】
スマートフォンまたはタブレット端末である、請求項１６に記載の表示制御装置。
【請求項１８】
タッチスクリーンディスプレイの表示を制御するプロセッサが、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行することと、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持することと
を含み、
前記プロセッサに前記第１のスクロール制御を実行させるための第１のユーザ操作と、前記プロセッサに前記第２のスクロール制御を実行させるための第２のユーザ操作とは、前記タッチスクリーンディスプレイ上の前記表示領域に対する互いに異なるタッチ操作である表示制御方法。
【請求項１９】
タッチスクリーンディスプレイの表示を制御するコンピュータに、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行する機能と、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持する機能と
を実現させ、
前記コンピュータに前記第１のスクロール制御を実行させるための第１のユーザ操作と、前記コンピュータに前記第２のスクロール制御を実行させるための第２のユーザ操作とは、前記タッチスクリーンディスプレイ上の前記表示領域に対する互いに異なるタッチ操作であるプログラム。
【手続補正２】
【補正対象書類名】明細書
【補正対象項目名】００３９
【補正方法】変更
【補正の内容】
【００３９】
あるいは、制御部１２０は、操作部１１４によって取得されるコンテンツリストのスクロールのための操作に応じて、コンテンツリストのスクロールに引き続いてコンテンツリスト領域６０５のスクロール移動を実行してもよい。この場合、コンテンツリストのスクロールのための操作、例えばドラッグ操作やフリック操作が、コンテンツリスト領域６０５に表示されたサムネイルが先頭（図示された例ではＰ１）に到達しても継続して取得された場合、自動的にコンテンツリスト領域６０５のスクロール移動が実行されうる。この場合、ユーザはコンテンツリスト領域６０５をスクロール移動させるにあたって、それまでのコンテンツリストのスクロールの場合と操作を切り替える必要がない。ここで、ユーザがコンテンツリスト領域６０５のスクロールを望んでいなかったような場合、ユーザは例えば逆向きにコンテンツリストをスクロールさせる操作を実行することによってコンテンツリスト領域６０５のスクロールを元に戻せばよい。
【手続補正３】
【補正対象書類名】明細書
【補正対象項目名】００４０
【補正方法】変更
【補正の内容】
【００４０】
スクロール移動されたコンテンツリスト領域６０５は、例えば、ユーザが上記の所定の操作をもう一度実行したり、逆向きに実行したり、コンテンツリスト領域６０５がスクロール移動した状態で表示されたサムネイルに対する操作を実行した場合に元に戻りうる。
【手続補正４】
【補正対象書類名】明細書
【補正対象項目名】００４６
【補正方法】変更
【補正の内容】
【００４６】
図４Ｂおよび図４Ｃに示したようなメニューバー５０３のスクロール移動は、コンテンツ領域５０５に表示されたコンテンツのスクロールとは別途に実行されうる。例えば、制御部１２０は、タッチスクリーンディスプレイ１１０の操作部１１４によってコンテンツのスクロールのための操作とは異なる所定の操作が取得された場合に、メニューバー５０３のスクロール移動を実行してもよい。コンテンツのスクロールのための操作、およびメニューバーのスクロール移動のための操作の例については、上記の第１の実施形態におけるコンテンツのスクロールのための操作およびコンテンツ領域のスクロール移動のための操作の例と同様であるため、ここでは重複した説明を省略する。
【手続補正５】
【補正対象書類名】明細書
【補正対象項目名】００５４
【補正方法】変更
【補正の内容】
【００５４】
一方、コンテンツリスト領域６０５およびメニューバー６０３のスクロール移動によって生じたステータスバー６０１とメニューバー６０３との間の空白部分には、スペーサ６０７が表示される。スペーサ６０７としては、例えば単純な図形などの画像を表示させてもよいし、広告などの別のコンテンツを表示させてもよい。あるいは、スペーサ６０７として、メニューバー６０３には含まれていない追加の操作子が表示されてもよい。スペーサ６０７として表示される画像、コンテンツ、または操作子は、例えばメニューバー６０３の下方へのスクロール移動とともに上方からスライドして現れてもよい。あるいは、スペーサ６０７として表示される画像、コンテンツ、または操作子は、メニューバー６０３およびコンテンツリスト領域６０５の背後に位置し、メニューバー６０３の下方へのスクロール移動によって隠されていた部分が現れるように表示されてもよい。
【手続補正６】
【補正対象書類名】明細書
【補正対象項目名】００７５
【補正方法】変更
【補正の内容】
【００７５】
上記のような操作によってユーザがステータスバー６０１またはメニューバー６０３を所望の位置に配置した結果、図７Ｃのようにステータスバー６０１およびメニューバー６０３が画面６００の下端に表示されてコンテンツリスト領域６０５が表示されなくなった状態でユーザの次の操作が取得される場合もありうる。また、図７Ｂのようにステータスバー６０１およびメニューバー６０３が画面６００の中ほどに表示され、その下にコンテンツリスト領域６０５が表示された状態でユーザの次の操作が取得されてもよい。このとき、ユーザはステータスバー６０１またはメニューバー６０３に対する操作をするためにステータスバー６０１のスクロール移動を実行していると考えられるため、コンテンツリスト領域６０５に表示されているサムネイルの操作を無効化してもよい。あるいは、ユーザの操作の自由度を高めるために、コンテンツリスト領域６０５に表示されるサムネイルが操作可能に維持されてもよい。